(57)【要約】【課題】顧客が店舗において実際に商品の購入等を行ったかどうかという店舗側の実状には立ち入ることなく、インターネット等の広告に基づき実際に顧客が店舗に来店した実績に応じて広告主に課金を行うことのできるペイパービジット広告システムを提供する。【解決手段】ユーザの操作する携帯端末から送信される来店情報を受信する来店情報受信手段と、受信した来店情報に基づいて上記ユーザが上記店舗に所在することを確認する確認手段と、上記ユーザが上記店舗に所在することが確認された場合に、広告主ＤＢ上の該当する広告主情報の来店数をカウントアップするとともに広告主課金額を更新する更新手段とを備える。【選択図】図１
2008021303.tif 000002
【特許請求の範囲】
【請求項１】
ユーザの操作する携帯端末から送信される来店情報を受信する来店情報受信手段と、
受信した来店情報に基づいて上記ユーザが上記店舗に所在することを確認する確認手段と、
上記ユーザが上記店舗に所在することが確認された場合に、広告主ＤＢ上の該当する広告主情報の来店数をカウントアップするとともに広告主課金額を更新する更新手段とを備えたことを特徴とするペイパービジット広告システム。
【請求項２】
請求項１に記載のペイパービジット広告システムにおいて、
上記ユーザが上記店舗に所在することが確認された場合に、ユーザＤＢ上の該当するユーザ情報のポイントを所定数加算するポイント付与手段を備えたことを特徴とするペイパービジット広告システム。
【請求項３】
請求項１または２のいずれか一項に記載のペイパービジット広告システムにおいて、
上記ユーザが上記店舗に所在することが確認された場合に、ユーザＤＢ上の該当するユーザに対して上記店舗において特典を受けることのできるクーポンを送信するクーポン送信手段を備えたことを特徴とするペイパービジット広告システム。
【請求項４】
請求項１乃至３のいずれか一項に記載のペイパービジット広告システムにおいて、
上記ユーザが過去に存在が確認されたのと同一の店舗に所在することが確認された場合には、来店数のカウントアップおよび広告主課金額の更新を行わないことを特徴とするペイパービジット広告システム。
【請求項５】
請求項１乃至４のいずれか一項に記載のペイパービジット広告システムにおいて、
上記広告主ＤＢは上記店舗への誘導に協力する報酬支払対象となるプロモーションオーナを識別する情報を含むことを特徴とするペイパービジット広告システム。
【請求項６】
請求項１乃至５のいずれか一項に記載のペイパービジット広告システムにおいて、
広告対象の店舗へ出向く意思があることの登録要求をユーザの操作する携帯端末から受け付け、広告主ＤＢにその旨の登録を行う登録手段を備えたことを特徴とするペイパービジット広告システム。
【請求項７】
請求項１乃至６のいずれか一項に記載のペイパービジット広告システムにおいて、
上記来店情報は、広告主ＩＤ、ユーザＩＤおよびユーザの位置情報を含み、
上記確認手段は、
上記来店情報に含まれる広告主ＩＤに基づいて広告主ＤＢから該当する広告主情報を参照する広告主情報参照手段と、
上記来店情報に含まれる位置情報と広告主情報に含まれる店舗位置情報とが一致するかどうかにより上記ユーザが上記店舗に所在するかどうかを確認する位置比較手段とを備えたことを特徴とするペイパービジット広告システム。
【請求項８】
請求項７に記載のペイパービジット広告システムにおいて、
上記位置情報は、上記携帯端末がＧＰＳ衛星から受信したＧＰＳ信号を伴う位置データ要求を位置データ取得サーバに行って取得することを特徴とするペイパービジット広告システム。
【請求項９】
請求項１乃至６のいずれか一項に記載のペイパービジット広告システムにおいて、
上記来店情報は、広告主ＩＤ、ユーザＩＤおよび真性な店舗アイテムであることを示すコードを含み、
上記確認手段は、
上記来店情報に含まれる真性な店舗アイテムであることを示すコードに基づいて正規の店舗アイテムであるかどうかにより上記ユーザが上記店舗に所在するかどうかを確認する店舗アイテム認証手段を備えたことを特徴とするペイパービジット広告システム。
【請求項１０】
請求項９に記載のペイパービジット広告システムにおいて、
上記携帯端末から送信される来店情報に含まれる広告主ＩＤおよび真性な店舗アイテムであることを示すコードは、店舗に設置された店舗アイテムから携帯端末により読み取って取得することを特徴とするペイパービジット広告システム。
【請求項１１】
請求項１０に記載のペイパービジット広告システムにおいて、
上記店舗アイテムは、広告主ＩＤおよび真性な店舗アイテムであることを示すコードのエンコードされたＱＲコードであることを特徴とするペイパービジット広告システム。
【請求項１２】
請求項１０に記載のペイパービジット広告システムにおいて、
上記店舗アイテムは、広告主ＩＤおよび真性な店舗アイテムであることを示すコードを送信する無線デバイスであることを特徴とするペイパービジット広告システム。
【請求項１３】
請求項１乃至６のいずれか一項に記載のペイパービジット広告システムにおいて、
上記来店情報は、広告主ＩＤ、ユーザＩＤおよびアクセスポイントの識別情報を含み、
上記確認手段は、
上記来店情報に含まれる広告主ＩＤに基づいて広告主ＤＢから該当する広告主情報を参照する広告主情報参照手段と、
上記来店情報に含まれる識別情報と広告主情報に含まれる店舗アクセスポイント識別情報とが一致するかどうかにより上記ユーザが上記店舗に所在するかどうかを確認する識別情報比較手段とを備えたことを特徴とするペイパービジット広告システム。
【請求項１４】
請求項１３に記載のペイパービジット広告システムにおいて、
上記来店情報受信手段は、上記来店情報を上記携帯端末から携帯電話ネットワークを介して受信することを特徴とするペイパービジット広告システム。
【請求項１５】
請求項１３に記載のペイパービジット広告システムにおいて、
上記来店情報受信手段は、上記来店情報を上記携帯端末から上記アクセスポイントを介して受信することを特徴とするペイパービジット広告システム。
【請求項１６】
請求項１乃至６のいずれか一項に記載のペイパービジット広告システムにおいて、
上記来店情報は、広告主ＩＤおよびユーザＩＤを含み、
上記確認手段は、
上記来店情報に含まれるユーザＩＤに対応する携帯端末の識別情報に基づいてアクセスポイントのシステムログから該当するアクセスポイント識別情報を参照するログ参照手段と、
上記来店情報に含まれる広告主ＩＤに基づいて広告主ＤＢから該当する広告主情報を参照する広告主情報参照手段と、
上記システムログから取得したアクセスポイント識別情報と広告主情報に含まれる店舗アクセスポイント識別情報とが一致するかどうかにより上記ユーザが上記店舗に所在するかどうかを確認する識別情報比較手段とを備えたことを特徴とするペイパービジット広告システム。
【請求項１７】
請求項１乃至６のいずれか一項に記載のペイパービジット広告システムにおいて、
広告主の広告に対する上記ユーザの閲覧履歴を管理する手段を備え、
上記来店情報は、ユーザＩＤおよびユーザの位置情報を含み、
上記確認手段は、上記来店情報に含まれる位置情報から特定される店舗に対応する広告の閲覧履歴が存在する場合に有効な来店と判断することを特徴とするペイパービジット広告システム。
【請求項１８】
請求項１乃至６のいずれか一項に記載のペイパービジット広告システムにおいて、
広告主の広告に対する上記ユーザの閲覧履歴を管理する手段を備え、
上記来店情報は、ユーザＩＤおよび真性な店舗アイテムであることを示すコードを含み、
上記確認手段は、上記来店情報に含まれる真性な店舗アイテムであることを示すコードから特定される店舗に対応する広告の閲覧履歴が存在する場合に有効な来店と判断することを特徴とするペイパービジット広告システム。
【請求項１９】
請求項１乃至６のいずれか一項に記載のペイパービジット広告システムにおいて、
広告主の広告に対する上記ユーザの閲覧履歴を管理する手段を備え、
上記来店情報は、ユーザＩＤおよびアクセスポイントの識別情報を含み、
上記確認手段は、上記来店情報に含まれる識別情報から特定される店舗に対応する広告の閲覧履歴が存在する場合に有効な来店と判断することを特徴とするペイパービジット広告システム。
【請求項２０】
請求項１乃至６のいずれか一項に記載のペイパービジット広告システムにおいて、
広告主の広告に対する上記ユーザの閲覧履歴を管理する手段を備え、
上記来店情報は、ユーザＩＤを含み、
上記確認手段は、上記来店情報に含まれるユーザＩＤに対応する携帯端末の識別情報に基づいてアクセスポイントのシステムログから取得されるアクセスポイント識別情報により特定される店舗に対応する広告の閲覧履歴が存在する場合に有効な来店と判断することを特徴とするペイパービジット広告システム。
【請求項２１】
ユーザの操作する携帯端末から送信される来店情報を受信する工程と、
受信した来店情報に基づいて上記ユーザが上記店舗に所在することを確認する工程と、
上記ユーザが上記店舗に所在することが確認された場合に、広告主ＤＢ上の該当する広告主情報の来店数をカウントアップするとともに広告主課金額を更新する工程とを備えたことを特徴とするペイパービジット広告管理方法。
【発明の詳細な説明】
【技術分野】
【０００１】
本発明は、インターネット等の広告に基づき実際に顧客が店舗に来店した実績に応じて広告主に課金を行うようにしたペイパービジット（Pay Per Visit）広告システムに関する。
【背景技術】
【０００２】
インターネットを利用した広告ビジネスが普及するに至っており、デスクトップ型のＰＣ（Personal Computer）からのみではなく、インターネットアクセスが可能な携帯電話等の携帯端末からの広告参照も増えている。
【０００３】
インターネットを利用した広告は、一般に、ポータルサイト（インターネットの入り口となる巨大なＷｅｂサイトであり、検索エンジンやリンク集を核として、ニュースや株価等の情報提供サービス、ブラウザから利用できるＷｅｂメールサービス、電子掲示板、チャット等、ユーザがインターネットで必要とする機能を無料で提供するサイト）を運営する事業者の有料サービスとして提供され、広告を申し込んだ広告主の広告内容を簡略に表示した画像を主たる記事の上端等にバナー広告やリンクとして埋め込み、このバナー広告等を一般ユーザがクリック（選択）することで広告主のＷｅｂページに誘導するようになっている。また、バナー広告等はアフィリエイト（affiliate）として個人のブログや電子メールにも掲載されることが多い。
【０００４】
広告主への課金は、バナー広告等の掲載対象や掲載数等に応じた固定額による場合もあるが、広告効果に応じた従量制課金とするのが合理的である。
【０００５】
従来、バナー広告等のクリック回数に基づく課金（ペイパークリック方式：Pay Per Click）が広く行われており、バナー広告等のクリック回数を広告主毎にサーバ側でカウントし、そのカウント数に応じて所定期間を単位に課金を行っていた。これは、広告主のＷｅｂページにジャンプしたことをもって、広告の効果が発揮されたとするものである。
【０００６】
また、最近では上記のペイパークリック方式に加え、広告内に記載された所定の電話番号への電話着信数等に応じた課金（ペイパーコール方式：Pay Per Call）も提供されるに至っている（例えば、特許文献１を参照。）。これは、広告に基づいて広告主に対して商品等の問い合わせの電話着信があったことをもって、広告の効果が発揮されたとするものである。
【０００７】
更に、実際に店舗において商品の購入等を行ったことを把握する手法としてクーポンの発行がある。すなわち、広告に含まれるクーポンを提示した商品の購入等を行わせることにより、広告に基づく最終的な効果を測定することができる。
【特許文献１】特開２００１−３１２６４９号公報
【発明の開示】
【発明が解決しようとする課題】
【０００８】
上述したように、従来の広告主への課金方式としてはペイパークリック方式とペイパーコール方式があり、クーポンによる商品の購入等の実績の測定手法も存在したが、次のような問題点が指摘されていた。
（１）ペイパークリック方式は、単に広告主のＷｅｂページにジャンプしたということがわかるだけであり、広告内容を十分に読んだかどうかは定かではなく、広告の効果としては十分ではない。
（２）ペイパーコール方式は、一般ユーザが広告に基づいて積極的に電話をかけたことから、広告内容に対して相当な興味を示したことまでは推測できるが、必ずしも商品の購入等に結びつくものではなく、やはり広告の効果としては十分ではない。
（３）クーポンによる商品の購入等の実績の測定は、店舗側でのデータ集計等の協力がなければ行えず、また、クーポンによる値引き等を行わない場合については適用できず、広告主への課金の根拠データとしては適用しにくい。
【０００９】
本発明は上記の従来の問題点に鑑み提案されたものであり、その目的とするところは、顧客が店舗において実際に商品の購入等を行ったかどうかという店舗側の実状には立ち入ることなく、インターネット等の広告に基づき実際に顧客が店舗に来店した実績に応じて広告主に課金を行うことのできるペイパービジット広告システムを提供することにある。
【課題を解決するための手段】
【００１０】
上記の課題を解決するため、本発明にあっては、請求項１に記載されるように、ユーザの操作する携帯端末から送信される来店情報を受信する来店情報受信手段と、受信した来店情報に基づいて上記ユーザが上記店舗に所在することを確認する確認手段と、上記ユーザが上記店舗に所在することが確認された場合に、広告主ＤＢ上の該当する広告主情報の来店数をカウントアップするとともに広告主課金額を更新する更新手段とを備えるペイパービジット広告システムを要旨としている。
【００１１】
また、請求項２に記載されるように、請求項１に記載のペイパービジット広告システムにおいて、上記ユーザが上記店舗に所在することが確認された場合に、ユーザＤＢ上の該当するユーザ情報のポイントを所定数加算するポイント付与手段を備えるようにすることができる。
【００１２】
また、請求項３に記載されるように、請求項１または２のいずれか一項に記載のペイパービジット広告システムにおいて、上記ユーザが上記店舗に所在することが確認された場合に、ユーザＤＢ上の該当するユーザに対して上記店舗において特典を受けることのできるクーポンを送信するクーポン送信手段を備えるようにすることができる。
【００１３】
また、請求項４に記載されるように、請求項１乃至３のいずれか一項に記載のペイパービジット広告システムにおいて、上記ユーザが過去に存在が確認されたのと同一の店舗に所在することが確認された場合には、来店数のカウントアップおよび広告主課金額の更新を行わないようにすることができる。
【００１４】
また、請求項５に記載されるように、請求項１乃至４のいずれか一項に記載のペイパービジット広告システムにおいて、上記広告主ＤＢは上記店舗への誘導に協力する報酬支払対象となるプロモーションオーナを識別する情報を含むようにすることができる。
【００１５】
また、請求項６に記載されるように、請求項１乃至５のいずれか一項に記載のペイパービジット広告システムにおいて、広告対象の店舗へ出向く意思があることの登録要求をユーザの操作する携帯端末から受け付け、広告主ＤＢにその旨の登録を行う登録手段を備えるようにすることができる。
【００１６】
また、請求項７に記載されるように、請求項１乃至６のいずれか一項に記載のペイパービジット広告システムにおいて、上記来店情報は、広告主ＩＤ、ユーザＩＤおよびユーザの位置情報を含み、上記確認手段は、上記来店情報に含まれる広告主ＩＤに基づいて広告主ＤＢから該当する広告主情報を参照する広告主情報参照手段と、上記来店情報に含まれる位置情報と広告主情報に含まれる店舗位置情報とが一致するかどうかにより上記ユーザが上記店舗に所在するかどうかを確認する位置比較手段とを備えるようにすることができる。
【００１７】
また、請求項８に記載されるように、請求項７に記載のペイパービジット広告システムにおいて、上記位置情報は、上記携帯端末がＧＰＳ衛星から受信したＧＰＳ信号を伴う位置データ要求を位置データ取得サーバに行って取得するようにすることができる。
【００１８】
また、請求項９に記載されるように、請求項１乃至６のいずれか一項に記載のペイパービジット広告システムにおいて、上記来店情報は、広告主ＩＤ、ユーザＩＤおよび真性な店舗アイテムであることを示すコードを含み、上記確認手段は、上記来店情報に含まれる真性な店舗アイテムであることを示すコードに基づいて正規の店舗アイテムであるかどうかにより上記ユーザが上記店舗に所在するかどうかを確認する店舗アイテム認証手段を備えるようにすることができる。
【００１９】
また、請求項１０に記載されるように、請求項９に記載のペイパービジット広告システムにおいて、上記携帯端末から送信される来店情報に含まれる広告主ＩＤおよび真性な店舗アイテムであることを示すコードは、店舗に設置された店舗アイテムから携帯端末により読み取って取得するようにすることができる。
【００２０】
また、請求項１１に記載されるように、請求項１０に記載のペイパービジット広告システムにおいて、上記店舗アイテムは、広告主ＩＤおよび真性な店舗アイテムであることを示すコードのエンコードされたＱＲコードであるものとすることができる。
【００２１】
また、請求項１２に記載されるように、請求項１０に記載のペイパービジット広告システムにおいて、上記店舗アイテムは、広告主ＩＤおよび真性な店舗アイテムであることを示すコードを送信する無線デバイスであるものとすることができる。
【００２２】
また、請求項１３に記載されるように、請求項１乃至６のいずれか一項に記載のペイパービジット広告システムにおいて、上記来店情報は、広告主ＩＤ、ユーザＩＤおよびアクセスポイントの識別情報を含み、上記確認手段は、上記来店情報に含まれる広告主ＩＤに基づいて広告主ＤＢから該当する広告主情報を参照する広告主情報参照手段と、上記来店情報に含まれる識別情報と広告主情報に含まれる店舗アクセスポイント識別情報とが一致するかどうかにより上記ユーザが上記店舗に所在するかどうかを確認する識別情報比較手段とを備えるようにすることができる。
【００２３】
また、請求項１４に記載されるように、請求項１３に記載のペイパービジット広告システムにおいて、上記来店情報受信手段は、上記来店情報を上記携帯端末から携帯電話ネットワークを介して受信するようにすることができる。
【００２４】
また、請求項１５に記載されるように、請求項１３に記載のペイパービジット広告システムにおいて、上記来店情報受信手段は、上記来店情報を上記携帯端末から上記アクセスポイントを介して受信するようにすることができる。
【００２５】
また、請求項１６に記載されるように、請求項１乃至６のいずれか一項に記載のペイパービジット広告システムにおいて、上記来店情報は、広告主ＩＤおよびユーザＩＤを含み、上記確認手段は、上記来店情報に含まれるユーザＩＤに対応する携帯端末の識別情報に基づいてアクセスポイントのシステムログから該当するアクセスポイント識別情報を参照するログ参照手段と、上記来店情報に含まれる広告主ＩＤに基づいて広告主ＤＢから該当する広告主情報を参照する広告主情報参照手段と、上記システムログから取得したアクセスポイント識別情報と広告主情報に含まれる店舗アクセスポイント識別情報とが一致するかどうかにより上記ユーザが上記店舗に所在するかどうかを確認する識別情報比較手段とを備えるようにすることができる。
【００２６】
また、請求項１７に記載されるように、請求項１乃至６のいずれか一項に記載のペイパービジット広告システムにおいて、広告主の広告に対する上記ユーザの閲覧履歴を管理する手段を備え、上記来店情報は、ユーザＩＤおよびユーザの位置情報を含み、上記確認手段は、上記来店情報に含まれる位置情報から特定される店舗に対応する広告の閲覧履歴が存在する場合に有効な来店と判断するようにすることができる。
【００２７】
また、請求項１８に記載されるように、請求項１乃至６のいずれか一項に記載のペイパービジット広告システムにおいて、広告主の広告に対する上記ユーザの閲覧履歴を管理する手段を備え、上記来店情報は、ユーザＩＤおよび真性な店舗アイテムであることを示すコードを含み、上記確認手段は、上記来店情報に含まれる真性な店舗アイテムであることを示すコードから特定される店舗に対応する広告の閲覧履歴が存在する場合に有効な来店と判断するようにすることができる。
【００２８】
また、請求項１９に記載されるように、請求項１乃至６のいずれか一項に記載のペイパービジット広告システムにおいて、広告主の広告に対する上記ユーザの閲覧履歴を管理する手段を備え、上記来店情報は、ユーザＩＤおよびアクセスポイントの識別情報を含み、上記確認手段は、上記来店情報に含まれる識別情報から特定される店舗に対応する広告の閲覧履歴が存在する場合に有効な来店と判断するようにすることができる。
【００２９】
また、請求項２０に記載されるように、請求項１乃至６のいずれか一項に記載のペイパービジット広告システムにおいて、広告主の広告に対する上記ユーザの閲覧履歴を管理する手段を備え、上記来店情報は、ユーザＩＤを含み、上記確認手段は、上記来店情報に含まれるユーザＩＤに対応する携帯端末の識別情報に基づいてアクセスポイントのシステムログから取得されるアクセスポイント識別情報により特定される店舗に対応する広告の閲覧履歴が存在する場合に有効な来店と判断するようにすることができる。
【００３０】
また、請求項２１に記載されるように、ユーザの操作する携帯端末から送信される来店情報を受信する工程と、受信した来店情報に基づいて上記ユーザが上記店舗に所在することを確認する工程と、上記ユーザが上記店舗に所在することが確認された場合に、広告主ＤＢ上の該当する広告主情報の来店数をカウントアップするとともに広告主課金額を更新する工程とを備えるペイパービジット広告管理方法として構成することができる。
【発明の効果】
【００３１】
本発明のペイパービジット広告システムにあっては、顧客が店舗において実際に商品の購入等を行ったかどうかという店舗側の実状には立ち入ることなく、商品の購入等に限りなく近い来店という状況をとらえて課金の根拠データとすることができるため、合理性の高い納得のいく課金を行うことができる。
【発明を実施するための最良の形態】
【００３２】
以下、本発明の好適な実施形態につき説明する。
【００３３】
<第１の実施形態>
図１は本発明の第１の実施形態にかかるペイパービジット広告システムの構成例を示す図である。
【００３４】
図１において、ペイパービジット広告システムは、インターネット等のネットワーク３に接続され、広告主への課金等の処理を行う広告管理サーバ１と、同じくネットワーク３に接続され、広告主のＷｅｂページ等を提供するＷｅｂサーバ２とを備えている。
【００３５】
また、ネットワーク３は携帯電話事業者等のネットワーク４と接続され、ネットワーク４には、ユーザＵの所持する携帯端末（携帯電話等）８との間で無線通信を行う基地局５と、ユーザＵの携帯端末８で受信したＧＰＳ（Global Positioning System）衛星７の信号に基づいて携帯端末８の位置情報を提供する位置データ取得サーバ６とが接続されている。なお、参照符号９で示すのは広告主の店舗である。
【００３６】
一方、広告管理サーバ１は、主にコンピュータプログラムによって実現される来店管理部１１と、広告主情報を保持する広告主ＤＢ１２と、ユーザ情報を保持するユーザＤＢ１３とを備えている。
【００３７】
来店管理部１１は、広告（Ｗｅｂ上の広告もしくは紙媒体の広告の両者を含む）の閲覧時に携帯端末８あるいはＰＣ等の固定端末から基地局５、ネットワーク４、ネットワーク３を介して広告対象の店舗へ出向く意思（Ｗｉｓｈ）があることの登録要求を受け付けて広告主ＤＢ１２に登録を行うウイッシュ登録部１１０を備えている。また、来店管理部１１は、携帯端末８から基地局５、ネットワーク４、ネットワーク３を介して来店情報を受信する来店情報受信部１１１と、広告主ＤＢ１２から広告主情報を参照する広告主情報参照部１１２と、来店情報受信部１１１で受信した来店情報に含まれる位置情報と広告主情報に含まれる店舗位置とを比較する位置比較部１１３とを備えている。また、来店管理部１１は、位置比較部１１３の比較により広告主の店舗９へのユーザＵの来店を確認した場合に、広告主ＤＢ１２の該当する広告主の来店数を更新する来店数更新部１１４と、来店数に応じて広告主ＤＢ１２の該当する広告主の課金額を更新する課金処理部１１５とを備えている。また、来店管理部１１は、ユーザＤＢ１３の来店したユーザＵのポイント値を更新するポイント付与部１１６と、来店したユーザＵにその店舗９で使用できるクーポンを送信（携帯端末８から広告管理サーバ１への来店時アクセスに対するレスポンスの表示データとしてクーポンのＵＲＬ（Uniform Resource Locator）を送信するか、別途、電子メールによってユーザＵにクーポンのＵＲＬを送信）するクーポン送信部１１７とを備えている。
【００３８】
図２は広告主ＤＢ１２の例を示す図であり、広告主を識別する「広告主ＩＤ」フィールドと、広告主の店舗の位置（緯度経度）を示す「店舗位置」フィールドと、広告主の広告用ＷｅｂページのＵＲＬを示す「ＵＲＬ」フィールドと、現時点の累積来店数を示す「来店数」フィールドと、来店者を識別する「来店者ＩＤ」フィールドと、広告主への課金額を示す「広告主課金」フィールドと、広告主の店舗において使用できるクーポンのデータを保持するＵＲＬを示す「クーポンＵＲＬ」フィールドと、広告主のページへ誘導するバナー広告、ＱＲコード等の掲載を行うプロモーションを識別する「プロモーションＩＤ」フィールドとを含んでいる。
【００３９】
「広告主ＩＤ」は広告主の申請に基づいてシステム運用者側で発行され、「店舗位置」は広告主の申請する住所から割り出した値が設定される。また、「ＵＲＬ」「クーポンＵＲＬ」は広告主の申請に基づいて設定される。「来店数」「来店者ＩＤ」「広告主課金」の初期値はブランクである。
【００４０】
「プロモーションＩＤ」フィールドの各プロモーションＩＤには、ウイッシュ登録を行ったユーザＩＤを示す「ウイッシュＩＤ」フィールドと、ウイッシュ登録を行ったユーザの来店状況を示す「来店」フィールドとが対応付けられている。「プロモーションＩＤ」は、広告主のページへ誘導するバナー広告、ＱＲコード等の掲載を行うプロモーションに参加するプロモーションオーナ（事前登録）に対し、広告主（店舗）毎あるいは更に細かくプロモーション形態毎に発行されるものである。また、「ウイッシュＩＤ」「来店」は初期状態ではブランクである。
【００４１】
図３はユーザＤＢ１３の例を示す図であり、ユーザを識別する「ユーザＩＤ」フィールドと、現時点の累積ポイントを示す「ポイント」フィールドと、ユーザの所持する携帯端末の電子メールアドレスを示す「メールアドレス」フィールドとを含んでいる。「メールアドレス」はユーザ登録時等に設定される。
【００４２】
図４は携帯端末８の構成例を示す図であり、ＧＰＳ衛星７（図１）からの信号を受信するＧＰＳ受信部８１と、基地局５（図１）との間で音声および非音声のデータ送受信を行うセルラー送受信部８２と、音声および非音声のデータ処理を行うデータ処理部８３と、データ処理の過程で使用されるデータを保持する記憶部８４と、デジタルカメラ機能を提供するカメラ部８５と、現在日時情報を出力する時計部８６と、取得したデータ内容および機器状態を表示する液晶パネル等よりなる表示部８７と、テンキー等よりなる操作部８８と、マイク、スピーカを含む通話部８９とを備えている。
【００４３】
図５は第１の実施形態におけるウイッシュ登録の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【００４４】
図５において、ユーザＵがＷｅｂサーバ２から携帯端末８等で閲覧したページに表示されるバナー広告を選択すると（ステップＳ１１）、広告主ページにジャンプし、閲覧が可能になる（ステップＳ１２）。図６は携帯端末８に表示される画面例を示す図であり、ＫＫ（ａ）はバナー広告を示し、（ｂ）はジャンプした先の広告主ページを示している。広告主ページには広告の対象となる店舗への来店の意思があることを登録するための「Ｗｉｓｈ登録」ボタンが設けられている。「Ｗｉｓｈ登録」ボタンにはアクセス先である広告管理サーバ１のＵＲＬと該当するプロモーションＩＤが組み込まれている。
【００４５】
図５に戻り、ユーザＵがウイッシュ（Ｗｉｓｈ）登録ボタンを選択すると（ステップＳ１３）、携帯端末８等は広告管理サーバ１に対してユーザＩＤとプロモーションＩＤを伴うウイッシュ登録要求を送信する（ステップＳ１４）。
【００４６】
広告管理サーバ１では、来店管理部１１のウイッシュ登録部１１０がウイッシュ登録要求を受信すると（ステップＳ１５）、広告主ＤＢ１２に対してウイッシュ登録を行う（ステップＳ１６）。すなわち、ウイッシュ登録部１１０は、広告主ＤＢ１２のプロモーションＩＤに関連付けてユーザＩＤを登録する。
【００４７】
なお、ウイッシュ登録ボタンの操作によりウイッシュ登録をする場合について説明したが、ウイッシュ登録ボタンの操作を省略し、広告主ページの閲覧と連動して自動的にウイッシュ登録を行うようにしてもよい。また、プロモーションとして、Ｗｅｂページ上のバナー広告の掲載を例に説明したが、バナー広告に代えてホットテキストによるリンクでもよく、また、Ｗｅｂページに限らず電子メールに埋め込んだリンク等でもよい。更に、電子媒体に限らず、紙媒体に掲載したＱＲコード等でもよい。ＱＲコードの場合、携帯端末８等のカメラ機能によりＱＲコードを読み込むことで、広告主ページの閲覧およびウイッシュ登録を行うことができる。
【００４８】
図７は図１に示した第１の実施形態における来店時の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【００４９】
今、ユーザＵは予め広告主の店舗９の広告用ＷｅｂページをＷｅｂサーバ２から携帯端末８等で閲覧した上で、実際に店舗９に来店したものとする。図８は携帯端末８に表示される画面例を示す図であり、（ａ）に示すようなバナー広告を選択することで、（ｂ）に示すような広告主ページが表示される。広告主ページには来店時に操作するＱＲコードからなる携帯端末用来店ボタンが設けられている。このＱＲコードには、アクセスすべき広告管理サーバ１のＵＲＬ、広告主ＩＤ等の情報が埋め込まれている。あるいは、ＱＲコードではなく、ボタンをクリックすることにより、広告管理サーバ１に、広告主ＩＤ等の情報が送信される仕組としてもよい。
【００５０】
図７において、ユーザＵは店舗９の内部もしくは外部近傍（ウインドウショッピング等も来店と判断）において自己の携帯端末８から基地局５、ネットワーク４、ネットワーク３を介してＷｅｂサーバ２にアクセスし、図８（ｂ）に示したような広告主ページを閲覧し（ステップＳ１０１）、携帯端末用来店ボタンを選択する（ステップＳ１０２）。なお、携帯端末８において広告主ページを表示した際に、ページに組み込まれたスクリプト等により携帯端末用来店ボタンを選択するのと同様の動作をさせてもよい。この場合、携帯端末用来店ボタンを表示する必要はない。
【００５１】
これに応じ、携帯端末８はＧＰＳ衛星７からのＧＰＳ信号を受信し（ステップＳ１０３）、このＧＰＳ信号を伴う位置データ要求を基地局５、ネットワーク４を介して位置データ取得サーバ６に行い（ステップＳ１０４）、位置データ取得サーバ６から現在の位置情報（緯度経度）を受信する（ステップＳ１０５）。なお、位置データ取得サーバ６に要求して位置情報を取得しているのは、ＧＰＳ衛星７のＧＰＳ信号から位置情報の算出および補正等を行う処理負荷が高く、携帯端末８側で単独で行うのが困難なためである。ただし、携帯端末８の高機能化によりＧＰＳ衛星７のＧＰＳ信号から独立して位置情報を取得できる場合には、位置データ取得サーバ６を介在させる必要はない。
【００５２】
次いで、携帯端末８は、携帯端末用来店ボタンのＱＲコードに含まれる広告管理サーバ１のＵＲＬに対し、広告主ＩＤ、ユーザＵのユーザＩＤ、位置情報等を含む来店情報を送信する（ステップＳ１０６）。
【００５３】
広告管理サーバ１では来店管理部１１の来店情報受信部１１１が携帯端末８からの来店情報を受信すると（ステップＳ１０７）、広告主情報参照部１１２は来店情報に含まれる広告主ＩＤに基づいて広告主ＤＢ１２から該当する広告主情報を参照する（ステップＳ１０８）。
【００５４】
次いで、位置比較部１１３は来店情報に含まれる位置情報（ユーザ現在位置）と広告主情報の店舗位置とが一致するかどうか比較を行う（ステップＳ１０９）。ここで、ユーザ現在位置と店舗位置とが一致しない場合（ステップＳ１０９のＮｏ）は処理を終了する。
【００５５】
ユーザ現在位置と店舗位置とが一致する場合（ステップＳ１０９のＹｅｓ）、ユーザＵが店舗９に来店したと判断し、来店数更新部１１４は広告主ＤＢ１２の該当する広告主情報の来店数をカウントアップし（ステップＳ１１０）、課金処理部１１５は広告主課金を更新する（ステップＳ１１１）。また、ポイント付与部１１６は、来店情報に含まれるユーザＩＤに基づいてユーザＤＢ１３からユーザ情報を特定し、該当するユーザ情報のポイントを所定数加算する（ステップＳ１１２）。更に、クーポン送信部１１７は携帯端末８から広告管理サーバ１へのアクセス（ステップＳ１０６、Ｓ１０７）に対するレスポンスとして表示するページの表示データとしてクーポンＵＲＬ（図２）を送信するか、別途、電子メールによってユーザＵのメールアドレス（図３）にクーポンＵＲＬを送信する（ステップＳ１１３）。ユーザＵはクーポンＵＲＬを辿って表示されるクーポンを店舗９の店員に提示することにより、代金割引、特別サービス（販促品の取得等）等を受けることができる。図９は携帯端末８に表示されたクーポンの例を示すものであり、「○○○○○○へのご来店を確認しました。下のクーポンを店の担当にご提示ください。」等のメッセージとともに、クーポンの内容が表示される。
【００５６】
なお、同じユーザが同じ店舗に何度も来店することで不当にポイントやクーポンを取得することを防止する必要がある場合には、二度目以降の来店は処理対象としない（所定期間内での二度目以降の来店を処理対象としない場合には、広告主ＤＢ１２（図２）の「来店者ＩＤ」において来店日時も併せて管理）ようにすることができる。
【００５７】
このように、位置情報に基づき、広告主の広告を経由してユーザＵが店舗９に来店したことを検出し、広告主に対して適切な課金を行うことができる。また、ユーザＵにもポイントが付与されるとともに、店舗９において使用できるクーポンが取得できることから、積極的な利用が期待できる。更に、店舗９への誘導に協力したプロモーションオーナに対しても、広告主から回収する広告料の一部を来店数等に応じて分配することで、広告効果の向上が達成できる。
【００５８】
また、変形例として、ユーザＵが店舗９に来店した際に、広告主の広告を経由することなく処理を起動する形にしてもよい。この場合、広告主の広告に対するユーザＵの閲覧履歴を広告管理サーバ１側で管理しておき、来店情報に含まれる位置情報から特定される店舗９に対応する広告の閲覧履歴が存在する場合に有効な来店と判断し、来店数カウントアップ、課金、ポイント付与、クーポン送信の処理対象とする。なお、この場合は来店情報に広告主ＩＤを含ませる必要はない。
【００５９】
<第２の実施形態>
図１０は本発明の第２の実施形態にかかるペイパービジット広告システムの構成例を示す図である。
【００６０】
図１０において、ペイパービジット広告システムは、インターネット等のネットワーク３に接続され、広告主への課金等の処理を行う広告管理サーバ１と、同じくネットワーク３に接続され、広告主のＷｅｂページ等を提供するＷｅｂサーバ２とを備えている。
【００６１】
また、ネットワーク３は携帯電話事業者等のネットワーク４と接続され、ネットワーク４には、ユーザＵの所持する携帯端末（携帯電話等）８との間で無線通信を行う基地局５が接続されている。
【００６２】
また、広告主の店舗９の各所（ウインドウの一部、店内等）には、ペイパービジット広告システムで管理される真性な店舗であることを示す店舗アイテム９１が設けられている。図１１は店舗アイテム９１の例を示す図であり、携帯端末８のデジタルカメラ機能により撮影して読み込まれるＱＲコードを含んでいる。このＱＲコードには、真性な店舗アイテムであることを示すコード、広告主ＩＤ等の情報が埋め込まれている。なお、撮影されたＱＲコードが転送されて悪用されないようにするため、著作権管理の仕組み（例えば、特開２００４−１９４２９３号公報を参照）を使用してＱＲコード画像の保存・転送が行えないようにすることが望ましい。また、上記のＱＲコードに代え、同様な情報を送信する無線タグ等の無線デバイスを用いることもできる。
【００６３】
一方、図１０において、広告管理サーバ１は、主にコンピュータプログラムによって実現される来店管理部１１と、広告主情報を保持する広告主ＤＢ１２と、ユーザ情報を保持するユーザＤＢ１３とを備えている。
【００６４】
来店管理部１１は、広告（Ｗｅｂ上の広告もしくは紙媒体の広告の両者を含む）の閲覧時に携帯端末８あるいはＰＣ等の固定端末から基地局５、ネットワーク４、ネットワーク３を介して広告対象の店舗へ出向く意思（Ｗｉｓｈ）があることの登録要求を受け付けて広告主ＤＢ１２に登録を行うウイッシュ登録部１１０を備えている。また、来店管理部１１は、携帯端末８から基地局５、ネットワーク４、ネットワーク３を介して来店情報を受信する来店情報受信部１１１と、来店情報に含まれる真性な店舗アイテムであることを示すコードに基づいて店舗アイテムを認証する店舗アイテム認証部１１８と、広告主ＤＢ１２から広告主情報を参照する広告主情報参照部１１２とを備えている。また、来店管理部１１は、店舗アイテム認証部１１８での認証により広告主の店舗９へのユーザＵの来店を確認した場合に、広告主ＤＢ１２の該当する広告主の来店数を更新する来店数更新部１１４と、来店数に応じて広告主ＤＢ１２の該当する広告主の課金額を更新する課金処理部１１５と、ユーザＤＢ１３の来店したユーザのポイント値を更新するポイント付与部１１６とを備えている。また、来店管理部１１は、ユーザＤＢ１３の来店したユーザＵのポイント値を更新するポイント付与部１１６と、来店したユーザＵにその店舗９で使用できるクーポンを送信（携帯端末８から広告管理サーバ１への来店時アクセスに対するレスポンスの表示データとしてクーポンのＵＲＬを送信するか、別途、電子メールによってユーザＵにクーポンのＵＲＬを送信）するクーポン送信部１１７とを備えている。
【００６５】
広告主ＤＢ１２は図２に示したものと同様であるが、「店舗位置」フィールドは不要である。ユーザＤＢ１３は図３に示したものと同様である。また、携帯端末８の構成は図４に示したものと同様である。
【００６６】
動作にあたり、来店前のウイッシュ登録については図５および図６に示したものと同様であるため、その説明は省略する。
【００６７】
図１２は図１０に示した第２の実施形態における来店時の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【００６８】
今、ユーザＵは予め広告主の店舗９の広告用ＷｅｂページをＷｅｂサーバ２から携帯端末８等で閲覧した上で、実際に店舗９に来店したものとする。携帯端末８の画面例は図８に示したのと同様であり、図８（ａ）に示すようなバナー広告を選択することで、図８（ｂ）に示すような広告主ページが表示される。広告主ページには来店時に操作するＱＲコードからなる携帯端末用来店ボタンが設けられている。このＱＲコードには、アクセスすべき広告管理サーバ１のＵＲＬ、広告主ＩＤ等の情報が埋め込まれている。
【００６９】
図１２において、ユーザＵは店舗９の内部もしくは外部近傍（ウインドウショッピング等も来店と判断）において自己の携帯端末８から基地局５、ネットワーク４、ネットワーク３を介してＷｅｂサーバ２にアクセスし、図８（ｂ）に示したような広告主ページを閲覧し（ステップＳ２０１）、携帯端末用来店ボタンを選択する（ステップＳ２０２）。なお、携帯端末８において広告主ページを表示した際に、ページに組み込まれたスクリプト等により携帯端末用来店ボタンを選択するのと同様の動作をさせてもよい。この場合、携帯端末用来店ボタンを表示する必要はない。
【００７０】
次いで、ユーザＵは携帯端末８のデジタルカメラ機能（図４のカメラ部８５）により図１１に示したような店舗アイテム９１のＱＲコードを読み取る（ステップＳ２０３）。
【００７１】
次いで、携帯端末８は、携帯端末用来店ボタンのＱＲコードに含まれる広告管理サーバ１のＵＲＬに対し、ユーザＵのユーザＩＤ、店舗アイテム９１のＱＲコードに含まれる真性な店舗アイテムであることを示すコード、広告主ＩＤ等を含む来店情報を送信する（ステップＳ２０４）。
【００７２】
広告管理サーバ１では来店管理部１１の来店情報受信部１１１が携帯端末８からの来店情報を受信すると（ステップＳ２０５）、店舗アイテム認証部１１８は来店情報に含まれる真性な店舗アイテムであることを示すコードに基づいて正規の店舗アイテムであるかどうか確認する（ステップＳ２０６）。ここで、正規の店舗アイテムでない場合（ステップＳ２０６のＮｏ）は処理を終了する。
【００７３】
正規の店舗アイテムである場合（ステップＳ２０６のＹｅｓ）、ユーザＵが店舗９に来店したと判断し、広告主情報参照部１１２は来店情報に含まれる広告主ＩＤに基づいて広告主ＤＢ１２から該当する広告主情報を参照して特定する（ステップＳ２０７）。
【００７４】
次いで、来店数更新部１１４は広告主ＤＢ１２の該当する広告主情報の来店数をカウントアップし（ステップＳ２０８）、課金処理部１１５は広告主課金を更新する（ステップＳ２０９）。また、ポイント付与部１１６は、来店情報に含まれるユーザＩＤに基づいてユーザＤＢ１３からユーザ情報を特定し、該当するユーザ情報のポイントを所定数加算する（ステップＳ２１０）。更に、クーポン送信部１１７は携帯端末８から広告管理サーバ１へのアクセス（ステップＳ２０４、Ｓ２０５）に対するレスポンスとして表示するページの表示データとしてクーポンＵＲＬ（図２）を送信するか、別途、電子メールによってユーザＵのメールアドレス（図３）にクーポンＵＲＬを送信する（ステップＳ２１１）。ユーザＵはクーポンＵＲＬを辿って表示されるクーポンを店舗９の店員に提示することにより、代金割引、特別サービス（販促品の取得等）等を受けることができる。
【００７５】
なお、同じユーザが同じ店舗に何度も来店することで不当にポイントやクーポンを取得することを防止する必要がある場合には、二度目以降の来店は処理対象としない（所定期間内での二度目以降の来店を処理対象としない場合には、広告主ＤＢ１２（図２）の「来店者ＩＤ」において来店日時も併せて管理）ようにすることができる。
【００７６】
このように、店舗アイテム９１に基づき、広告主の広告を経由してユーザＵが店舗９に来店したことを検出し、広告主に対して適切な課金を行うことができる。また、ユーザＵにもポイントが付与されるとともに、店舗９において使用できるクーポンが取得できることから、積極的な利用が期待できる。更に、店舗９への誘導に協力したプロモーションオーナに対しても、広告主から回収する広告料の一部を来店数等に応じて分配することで、広告効果の向上が達成できる。
【００７７】
また、変形例として、ユーザＵが店舗９に来店した際に、広告主の広告を経由することなく処理を起動する形にしてもよい。この場合、広告主の広告に対するユーザＵの閲覧履歴を広告管理サーバ１側で管理しておき、来店情報に含まれる真性な店舗アイテムであることを示すコードから特定される店舗９に対応する広告の閲覧履歴が存在する場合に有効な来店と判断し、来店数カウントアップ、課金、ポイント付与、クーポン送信の処理対象とする。なお、この場合は来店情報に広告主ＩＤを含ませる必要はない。
【００７８】
<第３の実施形態>
図１３は本発明の第３の実施形態にかかるペイパービジット広告システムの構成例を示す図である。
【００７９】
図１３において、ペイパービジット広告システムは、インターネット等のネットワーク３に接続され、広告主への課金等の処理を行う広告管理サーバ１と、同じくネットワーク３に接続され、広告主のＷｅｂページ等を提供するＷｅｂサーバ２とを備えている。
【００８０】
また、ネットワーク３は携帯電話事業者等のネットワーク４と接続され、ネットワーク４には、ユーザＵの所持する携帯端末（携帯電話等）８との間で無線通信を行う基地局５が接続されている。
【００８１】
また、店舗９には無線ＬＡＮ（Local Area Network）のアクセスポイント９２が設けられており、アクセスポイント９２はネットワーク３と接続されている。なお、アクセスポイント９２とネットワーク３の接続を破線で示しているのは、本実施形態の主要機能としてはアクセスポイント９２とネットワーク３の間の通信は発生しないためである。
【００８２】
一方、広告管理サーバ１は、主にコンピュータプログラムによって実現される来店管理部１１と、広告主情報を保持する広告主ＤＢ１２と、ユーザ情報を保持するユーザＤＢ１３とを備えている。
【００８３】
来店管理部１１は、広告（Ｗｅｂ上の広告もしくは紙媒体の広告の両者を含む）の閲覧時に携帯端末８あるいはＰＣ等の固定端末から基地局５、ネットワーク４、ネットワーク３を介して広告対象の店舗へ出向く意思（Ｗｉｓｈ）があることの登録要求を受け付けて広告主ＤＢ１２に登録を行うウイッシュ登録部１１０を備えている。また、来店管理部１１は、携帯端末８から基地局５、ネットワーク４、ネットワーク３を介して来店情報を受信する来店情報受信部１１１と、広告主ＤＢ１２から広告主情報を参照する広告主情報参照部１１２と、来店情報受信部１１１で受信した来店情報に含まれる店舗９のアクセスポイント９２の識別子（ＭＡＣ（Media Access Control）アドレス、固定グローバルＩＰ（Internet Protocol)アドレスもしくはホスト名)と広告主情報に含まれる識別子（ＭＡＣアドレス、固定グローバルＩＰアドレスもしくはホスト名）とを比較する識別子比較部１１９とを備えている。また、来店管理部１１は、識別子比較部１１９の比較により広告主の店舗９へのユーザＵの来店を確認した場合に、広告主ＤＢ１２の該当する広告主の来店数を更新する来店数更新部１１４と、来店数に応じて広告主ＤＢ１２の該当する広告主の課金額を更新する課金処理部１１５とを備えている。また、来店管理部１１は、ユーザＤＢ１３の来店したユーザＵのポイント値を更新するポイント付与部１１６と、来店したユーザＵにその店舗９で使用できるクーポンを送信（携帯端末８から広告管理サーバ１への来店時アクセスに対するレスポンスの表示データとしてクーポンのＵＲＬを送信するか、別途、電子メールによってユーザＵにクーポンのＵＲＬを送信）するクーポン送信部１１７とを備えている。
【００８４】
ユーザＤＢ１３は図３に示したものと同様である。
【００８５】
図１４は広告主ＤＢ１２の例を示す図であり、広告主を識別する「広告主ＩＤ」フィールドと、広告主の店舗に設置されたアクセスポイントの識別子（ＭＡＣアドレス、固定グローバルＩＰアドレスもしくはホスト名）を示す「店舗アクセスポイント識別子」フィールドと、広告主の広告用ＷｅｂページのＵＲＬを示す「ＵＲＬ」フィールドと、現時点の累積来店数を示す「来店数」フィールドと、来店者を識別する「来店者ＩＤ」フィールドと、広告主への課金額を示す「広告主課金」フィールドと、広告主の店舗において使用できるクーポンのデータを保持するＵＲＬを示す「クーポンＵＲＬ」フィールドと、広告主のページへ誘導するバナー広告、ＱＲコード等の掲載を行うプロモーションを識別する「プロモーションＩＤ」フィールドとを含んでいる。
【００８６】
「広告主ＩＤ」は広告主の申請に基づいてシステム運用者側で発行される。「店舗アクセスポイント識別子」「ＵＲＬ」「クーポンＵＲＬ」は広告主の申請に基づいて設定される。「来店数」「来店者ＩＤ」「広告主課金」の初期値はブランクである。
【００８７】
「プロモーションＩＤ」フィールドの各プロモーションＩＤには、ウイッシュ登録を行ったユーザＩＤを示す「ウイッシュＩＤ」フィールドと、ウイッシュ登録を行ったユーザの来店状況を示す「来店」フィールドとが対応付けられている。「プロモーションＩＤ」は、広告主のページへ誘導するバナー広告、ＱＲコード等の掲載を行うプロモーションに参加するプロモーションオーナ（事前登録）に対し、広告主（店舗）毎あるいは更に細かくプロモーション形態毎に発行されるものである。また、「ウイッシュＩＤ」「来店」は初期状態ではブランクである。
【００８８】
図１５は携帯端末８の構成例を示す図であり、外部の無線ＬＡＮのアクセスポイント９２（図１３）との間でデータ送受信を行う無線ＬＡＮ送受信部８０１と、基地局５（図１）との間で音声および非音声のデータ送受信を行うセルラー送受信部８２と、音声および非音声のデータ処理を行うデータ処理部８３と、データ処理の過程で使用されるデータを保持する記憶部８４と、現在日時情報を出力する時計部８６と、取得したデータ内容および機器状態を表示する液晶パネル等よりなる表示部８７と、テンキー等よりなる操作部８８と、マイク、スピーカを含む通話部８９とを備えている。
【００８９】
動作にあたり、来店前のウイッシュ登録については図５および図６に示したものと同様であるため、その説明は省略する。
【００９０】
図１６は図１３に示した第３の実施形態における来店時の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【００９１】
今、ユーザＵは予め広告主の店舗９の広告用ＷｅｂページをＷｅｂサーバ２から携帯端末８等で閲覧した上で、実際に店舗９に来店したものとする。携帯端末８の画面例は図８に示したのと同様であり、図８（ａ）に示すようなバナー広告を選択することで、図８（ｂ）に示すような広告主ページが表示される。広告主ページには来店時に操作するＱＲコードからなる携帯端末用来店ボタンが設けられている。このＱＲコードには、アクセスすべき広告管理サーバ１のＵＲＬ、広告主ＩＤ等の情報が埋め込まれている。
【００９２】
図１３において、ユーザＵは店舗９の内部もしくは外部近傍（ウインドウショッピング等も来店と判断）において自己の携帯端末８から基地局５、ネットワーク４、ネットワーク３を介して、あるいは、可能であれば店舗９のアクセスポイント９２、ネットワーク３を介してＷｅｂサーバ２にアクセスし、図８（ｂ）に示したような広告主ページを閲覧し（ステップＳ３０１）、携帯端末用来店ボタンを選択する（ステップＳ３０２）。なお、携帯端末８において広告主ページを表示した際に、ページに組み込まれたスクリプト等により携帯端末用来店ボタンを選択するのと同様の動作をさせてもよい。この場合、携帯端末用来店ボタンを表示する必要はない。
【００９３】
これに応じ、携帯端末８は無線ＬＡＮ送受信部８０１により周辺に存在するアクセスポイントを発見できるまで所定時間探索する（ステップＳ３０３、Ｓ３０４）。そして、アクセスポイント９２を発見できた場合（ステップＳ３０４のＹｅｓ）、アクセスポイント９２の識別子（ＭＡＣアドレス、固定グローバルＩＰアドレスもしくはホスト名）を取得する（ステップＳ３０５）。取得した識別子を取得識別子と呼ぶこととする。
【００９４】
次いで、携帯端末８は、携帯端末用来店ボタンのＱＲコードに含まれる広告管理サーバ１のＵＲＬに対し、広告主ＩＤ、ユーザＵのユーザＩＤ、取得識別子等を含む来店情報を送信する（ステップＳ３０６）。
【００９５】
広告管理サーバ１では来店管理部１１の来店情報受信部１１１が携帯端末８からの来店情報を受信すると（ステップＳ３０７）、広告主情報参照部１１２は来店情報に含まれる広告主ＩＤに基づいて広告主ＤＢ１２から該当する広告主情報を参照する（ステップＳ３０８）。
【００９６】
次いで、識別子比較部１１９は来店情報に含まれる取得識別子と広告主情報の店舗アクセスポイント識別子とが一致するかどうか比較を行う（ステップＳ３０９）。ここで、取得識別子と店舗アクセスポイント識別子とが一致しない場合（ステップＳ３０９のＮｏ）は処理を終了する。
【００９７】
取得識別子と店舗アクセスポイント識別子とが一致する場合（ステップＳ３０９のＹｅｓ）、ユーザＵが店舗９に来店したと判断し、来店数更新部１１４は広告主ＤＢ１２の該当する広告主情報の来店数をカウントアップし（ステップＳ３１０）、課金処理部１１５は広告主課金を更新する（ステップＳ３１１）。また、ポイント付与部１１６は、来店情報に含まれるユーザＩＤに基づいてユーザＤＢ１３からユーザ情報を特定し、該当するユーザ情報のポイントを所定数加算する（ステップＳ３１２）。更に、クーポン送信部１１７は携帯端末８から広告管理サーバ１へのアクセス（ステップＳ３０６、Ｓ３０７）に対するレスポンスとして表示するページの表示データとしてクーポンＵＲＬ（図１４）を送信するか、別途、電子メールによってユーザＵのメールアドレス（図３）にクーポンＵＲＬを送信する（ステップＳ３１３）。ユーザＵはクーポンＵＲＬを辿って表示されるクーポンを店舗９の店員に提示することにより、代金割引、特別サービス（販促品の取得等）等を受けることができる。携帯端末８でのクーポンの表示例は図９に示したものと同様である。
【００９８】
なお、同じユーザが同じ店舗に何度も来店することで不当にポイントやクーポンを取得することを防止する必要がある場合には、二度目以降の来店は処理対象としない（所定期間内での二度目以降の来店を処理対象としない場合には、広告主ＤＢ１２（図１４）の「来店者ＩＤ」において来店日時も併せて管理）ようにすることができる。
【００９９】
このように、店舗９に設置されるアクセスポイント９２の固有の識別子に基づき、広告主の広告を経由してユーザＵが店舗９に来店したことを検出し、広告主に対して適切な課金を行うことができる。また、ユーザＵにもポイントが付与されるとともに、店舗９において使用できるクーポンが取得できることから、積極的な利用が期待できる。更に、店舗９への誘導に協力したプロモーションオーナに対しても、広告主から回収する広告料の一部を来店数等に応じて分配することで、広告効果の向上が達成できる。
【０１００】
また、変形例として、ユーザＵが店舗９に来店した際に、広告主の広告を経由することなく処理を起動する形にしてもよい。この場合、広告主の広告に対するユーザＵの閲覧履歴を広告管理サーバ１側で管理しておき、来店情報に含まれる識別子から特定される店舗９に対応する広告の閲覧履歴が存在する場合に有効な来店と判断し、来店数カウントアップ、課金、ポイント付与、クーポン送信の処理対象とする。なお、この場合は来店情報に広告主ＩＤを含ませる必要はない。
【０１０１】
<第４の実施形態>
図１７は本発明の第４の実施形態にかかるペイパービジット広告システムの構成例を示す図である。
【０１０２】
図１７において、ペイパービジット広告システムは、インターネット等のネットワーク３に接続され、広告主への課金等の処理を行う広告管理サーバ１と、同じくネットワーク３に接続され、広告主のＷｅｂページ等を提供するＷｅｂサーバ２とを備えている。
【０１０３】
また、ネットワーク３は携帯電話事業者等のネットワーク４と接続され、ネットワーク４には、ユーザＵの所持する携帯端末（携帯電話等）８との間で無線通信を行う基地局５が接続されている。
【０１０４】
また、店舗９には無線ＬＡＮのアクセスポイント９２が設けられており、アクセスポイント９２はネットワーク３と接続されている。
【０１０５】
一方、広告管理サーバ１は、主にコンピュータプログラムによって実現される来店管理部１１と、広告主情報を保持する広告主ＤＢ１２と、ユーザ情報を保持するユーザＤＢ１３とを備えている。
【０１０６】
来店管理部１１は、広告（Ｗｅｂ上の広告もしくは紙媒体の広告の両者を含む）の閲覧時に携帯端末８あるいはＰＣ等の固定端末から基地局５、ネットワーク４、ネットワーク３を介して広告対象の店舗へ出向く意思（Ｗｉｓｈ）があることの登録要求を受け付けて広告主ＤＢ１２に登録を行うウイッシュ登録部１１０を備えている。また、来店管理部１１は、携帯端末８から基地局５、ネットワーク４、ネットワーク３を介して来店情報を受信する来店情報受信部１１１と、広告主ＤＢ１２から広告主情報を参照する広告主情報参照部１１２と、来店情報受信部１１１で受信した来店情報に含まれる店舗９のアクセスポイント９２の識別子（ＭＡＣアドレス、固定グローバルＩＰアドレスもしくはホスト名）と広告主情報に含まれる識別子（ＭＡＣアドレス、固定グローバルＩＰアドレスもしくはホスト名）とを比較する識別子比較部１１９とを備えている。また、来店管理部１１は、識別子比較部１１９の比較により広告主の店舗９へのユーザＵの来店を確認した場合に、広告主ＤＢ１２の該当する広告主の来店数を更新する来店数更新部１１４と、来店数に応じて広告主ＤＢ１２の該当する広告主の課金額を更新する課金処理部１１５とを備えている。また、来店管理部１１は、ユーザＤＢ１３の来店したユーザＵのポイント値を更新するポイント付与部１１６と、来店したユーザＵにその店舗９で使用できるクーポンを送信（携帯端末８から広告管理サーバ１への来店時アクセスに対するレスポンスの表示データとしてクーポンのＵＲＬを送信するか、別途、電子メールによってユーザＵにクーポンのＵＲＬを送信）するクーポン送信部１１７とを備えている。
【０１０７】
広告主ＤＢ１２は図１４に示したものと同様であり、ユーザＤＢ１３は図３に示したものと同様である。また、携帯端末８の構成は図１５に示したものと同様である。
【０１０８】
動作にあたり、来店前のウイッシュ登録については図５および図６に示したものと同様であるため、その説明は省略する。
【０１０９】
図１８は第４の実施形態における来店時の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【０１１０】
今、ユーザＵは予め広告主の店舗９の広告用ＷｅｂページをＷｅｂサーバ２から携帯端末８等で閲覧した上で、実際に店舗９に来店したものとする。携帯端末８の画面例は図８に示したのと同様であり、図８（ａ）に示すようなバナー広告を選択することで、図８（ｂ）に示すような広告主ページが表示される。広告主ページには来店時に操作するＱＲコードからなる携帯端末用来店ボタンが設けられている。このＱＲコードには、アクセスすべき広告管理サーバ１のＵＲＬ、広告主ＩＤ等の情報が埋め込まれている。
【０１１１】
図１８において、ユーザＵは店舗９の内部もしくは外部近傍（ウインドウショッピング等も来店と判断）において自己の携帯端末８から基地局５、ネットワーク４、ネットワーク３を介して、あるいは、可能であれば店舗９のアクセスポイント９２、ネットワーク３を介してＷｅｂサーバ２にアクセスし、図８（ｂ）に示したような広告主ページを閲覧し（ステップＳ４０１）、携帯端末用来店ボタンを選択する（ステップＳ４０２）。なお、携帯端末８において広告主ページを表示した際に、ページに組み込まれたスクリプト等により携帯端末用来店ボタンを選択するのと同様の動作をさせてもよい。この場合、携帯端末用来店ボタンを表示する必要はない。
【０１１２】
これに応じ、携帯端末８は無線ＬＡＮ送受信部８０１により周辺に存在するアクセスポイントを発見できるまで所定時間探索する（ステップＳ４０３、Ｓ４０４）。そして、アクセスポイント９２を発見できた場合（ステップＳ４０４のＹｅｓ）、アクセスポイント９２の識別子（ＭＡＣアドレス、固定グローバルＩＰアドレスもしくはホスト名）を取得する（ステップＳ４０５）。取得した識別子を取得識別子と呼ぶこととする。
【０１１３】
次いで、携帯端末８は、携帯端末用来店ボタンのＱＲコードに含まれる広告管理サーバ１のＵＲＬに対し、無線ＬＡＮ送受信部８０１によりアクセスポイント９２およびネットワーク３を介して、広告主ＩＤ、ユーザＵのユーザＩＤ、取得識別子等を含む来店情報を送信する（ステップＳ４０６）。
【０１１４】
広告管理サーバ１では来店管理部１１の来店情報受信部１１１が携帯端末８からの来店情報を受信すると（ステップＳ４０７）、広告主情報参照部１１２は来店情報に含まれる広告主ＩＤに基づいて広告主ＤＢ１２から該当する広告主情報を参照する（ステップＳ４０８）。
【０１１５】
次いで、識別子比較部１１９は来店情報に含まれる取得識別子と広告主情報の店舗アクセスポイント識別子とが一致するかどうか比較を行う（ステップＳ４０９）。ここで、取得識別子と店舗アクセスポイント識別子とが一致しない場合（ステップＳ４０９のＮｏ）は処理を終了する。
【０１１６】
取得識別子と店舗アクセスポイント識別子とが一致する場合（ステップＳ４０９のＹｅｓ）、ユーザＵが店舗９に来店したと判断し、来店数更新部１１４は広告主ＤＢ１２の該当する広告主情報の来店数をカウントアップし（ステップＳ４１０）、課金処理部１１５は広告主課金を更新する（ステップＳ４１１）。また、ポイント付与部１１６は、来店情報に含まれるユーザＩＤに基づいてユーザＤＢ１３からユーザ情報を特定し、該当するユーザ情報のポイントを所定数加算する（ステップＳ４１２）。更に、クーポン送信部１１７は携帯端末８から広告管理サーバ１へのアクセス（ステップＳ４０６、Ｓ４０７）に対するレスポンスとして表示するページの表示データとしてクーポンＵＲＬ（図１４）を送信するか、別途、電子メールによってユーザＵのメールアドレス（図３）にクーポンＵＲＬを送信する（ステップＳ４１３）。ユーザＵはクーポンＵＲＬを辿って表示されるクーポンを店舗９の店員に提示することにより、代金割引、特別サービス（販促品の取得等）等を受けることができる。携帯端末８でのクーポンの表示例は図９に示したものと同様である。
【０１１７】
なお、同じユーザが同じ店舗に何度も来店することで不当にポイントやクーポンを取得することを防止する必要がある場合には、二度目以降の来店は処理対象としない（所定期間内での二度目以降の来店を処理対象としない場合には、広告主ＤＢ１２（図１４）の「来店者ＩＤ」において来店日時も併せて管理）ようにすることができる。
【０１１８】
このように、店舗９に設置されるアクセスポイント９２の固有の識別子に基づき、広告主の広告を経由してユーザＵが店舗９に来店したことを検出し、広告主に対して適切な課金を行うことができる。また、ユーザＵにもポイントが付与されるとともに、店舗９において使用できるクーポンが取得できることから、積極的な利用が期待できる。更に、店舗９への誘導に協力したプロモーションオーナに対しても、広告主から回収する広告料の一部を来店数等に応じて分配することで、広告効果の向上が達成できる。
【０１１９】
また、変形例として、ユーザＵが店舗９に来店した際に、広告主の広告を経由することなく処理を起動する形にしてもよい。この場合、広告主の広告に対するユーザＵの閲覧履歴を広告管理サーバ１側で管理しておき、来店情報に含まれる識別子から特定される店舗９に対応する広告の閲覧履歴が存在する場合に有効な来店と判断し、来店数カウントアップ、課金、ポイント付与、クーポン送信の処理対象とする。なお、この場合は来店情報に広告主ＩＤを含ませる必要はない。
【０１２０】
<第５の実施形態>
図１９は本発明の第５の実施形態にかかるペイパービジット広告システムの構成例を示す図である。
【０１２１】
図１９において、ペイパービジット広告システムは、インターネット等のネットワーク３に接続され、広告主への課金等の処理を行う広告管理サーバ１と、同じくネットワーク３に接続され、後述する店舗９に設けられた無線ＬＡＮのアクセスポイント９２から送信されるシステムログ（System Log（Syslog）：システムの動作状況やメッセージなどの記録）を集計する集計サーバ１０と、同じくネットワーク３に接続され、広告主のＷｅｂページ等を提供するＷｅｂサーバ２とを備えている。
【０１２２】
また、ネットワーク３は携帯電話事業者等のネットワーク４と接続され、ネットワーク４には、ユーザＵの所持する携帯端末（携帯電話等）８との間で無線通信を行う基地局５が接続されている。
【０１２３】
また、店舗９には無線ＬＡＮのアクセスポイント９２が設けられており、アクセスポイント９２はネットワーク３と接続されている。
【０１２４】
一方、広告管理サーバ１は、主にコンピュータプログラムによって実現される来店管理部１１と、広告主情報を保持する広告主ＤＢ１２と、ユーザ情報を保持するユーザＤＢ１３とを備えている。
【０１２５】
来店管理部１１は、広告（Ｗｅｂ上の広告もしくは紙媒体の広告の両者を含む）の閲覧時に携帯端末８あるいはＰＣ等の固定端末から基地局５、ネットワーク４、ネットワーク３を介して広告対象の店舗へ出向く意思（Ｗｉｓｈ）があることの登録要求を受け付けて広告主ＤＢ１２に登録を行うウイッシュ登録部１１０を備えている。また、来店管理部１１は、携帯端末８から基地局５、ネットワーク４、ネットワーク３を介して来店情報を受信する来店情報受信部１１１と、集計サーバ１０にアクセスしてシステムログを参照するシスログ参照部１２０と、広告主ＤＢ１２から広告主情報を参照する広告主情報参照部１１２と、来店情報受信部１１１で受信した来店情報に含まれるユーザＩＤに対応する携帯端末８のＭＡＣアドレスをキーにシスログ参照部１２０によりシステムログから取得されたアクセスポイント９２の識別子（ＭＡＣアドレス、固定グローバルＩＰアドレスもしくはホスト名）と広告主情報に含まれる識別子（ＭＡＣアドレス、固定グローバルＩＰアドレスもしくはホスト名）とを比較する識別子比較部１１９とを備えている。また、来店管理部１１は、識別子比較部１１９の比較により広告主の店舗９へのユーザＵの来店を確認した場合に、広告主ＤＢ１２の該当する広告主の来店数を更新する来店数更新部１１４と、来店数に応じて広告主ＤＢ１２の該当する広告主の課金額を更新する課金処理部１１５とを備えている。また、来店管理部１１は、ユーザＤＢ１３の来店したユーザＵのポイント値を更新するポイント付与部１１６と、来店したユーザＵにその店舗９で使用できるクーポンを送信（携帯端末８から広告管理サーバ１への来店時アクセスに対するレスポンスの表示データとしてクーポンのＵＲＬを送信するか、別途、電子メールによってユーザＵにクーポンのＵＲＬを送信）するクーポン送信部１１７とを備えている。
【０１２６】
広告主ＤＢ１２は図１４に示したものと同様である。
【０１２７】
図２０はユーザＤＢの例を示す図であり、ユーザを識別する「ユーザＩＤ」フィールドと、ユーザの使用する携帯端末のＭＡＣアドレスを示す「ＭＡＣアドレス」フィールドと、現時点の累積ポイントを示す「ポイント」フィールドと、ユーザの所持する携帯端末の電子メールアドレスを示す「メールアドレス」フィールドとを含んでいる。「ＭＡＣアドレス」と「メールアドレス」はユーザ登録時等に設定される。
【０１２８】
また、携帯端末８の構成は図１５に示したものと同様である。
【０１２９】
動作にあたり、来店前のウイッシュ登録については図５および図６に示したものと同様であるため、その説明は省略する。
【０１３０】
図２１は第５の実施形態における来店時の処理例を示すフローチャートである。なお、予め広告主のＷｅｂページがＷｅｂサーバ２のいずれかに設けられ、当該Ｗｅｂページへのリンクを含むバナー広告が他のＷｅｂサーバ２に設けられ、広告管理サーバ１の広告主ＤＢ１２に当該広告主の広告主情報が登録されているものとする。また、ユーザＵのユーザ情報についても広告管理サーバ１のユーザＤＢ１３に登録されているものとする。
【０１３１】
今、ユーザＵは予め広告主の店舗９の広告用ＷｅｂページをＷｅｂサーバ２から携帯端末８等で閲覧した上で、実際に店舗９に来店したものとする。携帯端末８の画面例は図８に示したのと同様であり、図８（ａ）に示すようなバナー広告を選択することで、図８（ｂ）に示すような広告主ページが表示される。広告主ページには来店時に操作するＱＲコードからなる携帯端末用来店ボタンが設けられている。このＱＲコードには、アクセスすべき広告管理サーバ１のＵＲＬ、広告主ＩＤ等の情報が埋め込まれている。
【０１３２】
図２１において、ユーザＵは店舗９の内部もしくは外部近傍（ウインドウショッピング等も来店と判断）において自己の携帯端末８から基地局５、ネットワーク４、ネットワーク３を介して、あるいは、可能であれば店舗９のアクセスポイント９２、ネットワーク３を介してＷｅｂサーバ２にアクセスし、図８（ｂ）に示したような広告主ページを閲覧し（ステップＳ５０１）、携帯端末用来店ボタンを選択する（ステップＳ５０２）。なお、携帯端末８において広告主ページを表示した際に、ページに組み込まれたスクリプト等により携帯端末用来店ボタンを選択するのと同様の動作をさせてもよい。この場合、携帯端末用来店ボタンを表示する必要はない。
【０１３３】
これに応じ、携帯端末８は無線ＬＡＮ送受信部８０１により周辺に存在するアクセスポイントを発見できるまで所定時間探索する（ステップＳ５０３、Ｓ５０４）。
【０１３４】
そして、アクセスポイント９２を発見できた場合（ステップＳ５０４のＹｅｓ）、携帯端末８は、携帯端末用来店ボタンのＱＲコードに含まれる広告管理サーバ１のＵＲＬに対し、無線ＬＡＮ送受信部８０１によりアクセスポイント９２およびネットワーク３を介して、広告主ＩＤ、ユーザＵのユーザＩＤ等を含む来店情報を送信する（ステップＳ５０５）。
【０１３５】
一方、アクセスポイント９２は店舗９からのアクセス内容（自装置の識別子および携帯端末８のＭＡＣアドレス、アクセス日時等を含む）を記録したシステムログを集計サーバ１０に送信する（ステップＳ５０６）。集計サーバ１０は受け取ったシステムログを集計・管理する。
【０１３６】
広告管理サーバ１では来店管理部１１の来店情報受信部１１１が携帯端末８からの来店情報を受信すると（ステップＳ５０７）、来店情報に含まれるユーザＩＤに対応するＭＡＣアドレス（ユーザＤＢ１３から取得）に基づいて、シスログ参照部１２０により集計サーバ１０を参照し、そのＭＡＣアドレスによるアクセスのあったアクセスポイントの識別子を取得する（ステップＳ５０８）。取得した識別子を取得識別子と呼ぶこととする。
【０１３７】
次いで、広告主情報参照部１１２は来店情報に含まれる広告主ＩＤに基づいて広告主ＤＢ１２から該当する広告主情報を参照する（ステップＳ５０９）。
【０１３８】
次いで、識別子比較部１１９はシスログ参照部１２０で取得した取得識別子と広告主情報の店舗アクセスポイント識別子とが一致するかどうか比較を行う（ステップＳ５１０）。ここで、取得識別子と店舗アクセスポイント識別子とが一致しない場合（ステップＳ５１０のＮｏ）は処理を終了する。
【０１３９】
取得識別子と店舗アクセスポイント識別子とが一致する場合（ステップＳ５１０のＹｅｓ）、ユーザＵが店舗９に来店したと判断し、来店数更新部１１４は広告主ＤＢ１２の該当する広告主情報の来店数をカウントアップし（ステップＳ５１１）、課金処理部１１５は広告主課金を更新する（ステップＳ５１２）。また、ポイント付与部１１６は、来店情報に含まれるユーザＩＤに基づいてユーザＤＢ１３からユーザ情報を特定し、該当するユーザ情報のポイントを所定数加算する（ステップＳ５１３）。更に、クーポン送信部１１７は携帯端末８から広告管理サーバ１へのアクセス（ステップＳ５０５、Ｓ５０７）に対するレスポンスとして表示するページの表示データとしてクーポンＵＲＬ（図１４）を送信するか、別途、電子メールによってユーザＵのメールアドレス（図２０）にクーポンＵＲＬを送信する（ステップＳ５１４）。ユーザＵはクーポンＵＲＬを辿って表示されるクーポンを店舗９の店員に提示することにより、代金割引、特別サービス（販促品の取得等）等を受けることができる。携帯端末８でのクーポンの表示例は図９に示したものと同様である。
【０１４０】
なお、同じユーザが同じ店舗に何度も来店することで不当にポイントやクーポンを取得することを防止する必要がある場合には、二度目以降の来店は処理対象としない（所定期間内での二度目以降の来店を処理対象としない場合には、広告主ＤＢ１２（図１４）の「来店者ＩＤ」において来店日時も併せて管理）ようにすることができる。
【０１４１】
このように、店舗９に設置されるアクセスポイント９２の固有の識別子に基づき、広告主の広告を経由してユーザＵが店舗９に来店したことを検出し、広告主に対して適切な課金を行うことができる。また、ユーザＵにもポイントが付与されるとともに、店舗９において使用できるクーポンが取得できることから、積極的な利用が期待できる。更に、店舗９への誘導に協力したプロモーションオーナに対しても、広告主から回収する広告料の一部を来店数等に応じて分配することで、広告効果の向上が達成できる。
【０１４２】
また、携帯端末８から広告管理サーバ１に送信する来店情報にアクセスポイント９２の識別子を含ませる必要がないため、送信データ（携帯端末８の送信履歴に残ったデータ）を再利用して悪用する行為（店舗９に来店していないにもかかわらず来店しているようにみせかける等）を防止することができる。
【０１４３】
また、変形例として、ユーザＵが店舗９に来店した際に、広告主の広告を経由することなく処理を起動する形にしてもよい。この場合、広告主の広告に対するユーザＵの閲覧履歴を広告管理サーバ１側で管理しておき、アクセスポイント９２の識別子から特定される店舗９に対応する広告の閲覧履歴が存在する場合に有効な来店と判断し、来店数カウントアップ、課金、ポイント付与、クーポン送信の処理対象とする。なお、この場合は来店情報に広告主ＩＤを含ませる必要はない。
【０１４４】
<来店確認の他の例>
店舗側の協力（承諾）が得られる場合には、店舗に設置される決済装置（電子マネー決済端末、クレジットカード決済端末等）と接続された決済会社のサーバから広告管理サーバ１（図１、図１０、図１３、図１７、図１９）に購入情報（電子マネー、クレジットカード等の決済ＩＤと店舗ＩＤとを含む）を来店情報として送信することで、広告管理サーバ１において広告主ＤＢ１２の該当するデータにつき来店数カウントアップ、課金、ポイント付与、クーポン送信等の処理対象とすることができる。この場合、広告管理サーバ１側に、決済ＩＤ（決済会社の管理下）と購入者（来店者）のユーザＩＤとの対応テーブルを設けるとともに、店舗ＩＤ（決済会社の管理下）と広告主ＩＤとの対応テーブルを設けることで、広告主ＤＢ１２の該当するデータを特定することができる。
【０１４５】
あるいは、Ｆｅｌｉｃａ（不揮発メモリと無線通信チップを内蔵した樹脂製のカードで、読み取り端末にかざすだけで料金の精算等のデータのやり取りができるようにしたもの）やＲＦＩＤ（Radio Frequency Identification）等の非接触ＩＣ技術を組み込んだ携帯電話とその情報読み取り装置を利用したサーバへの情報送信処理を活用し、広告管理サーバ１に来店情報を送信することもできる。
【０１４６】
また、広告主ＤＢ１２に「来店数」「来店者ＩＤ」フィールドとは別に「購入者」「購入者ＩＤ」フィールドを追加し、単なる来店と購入まで至った場合とを区別して管理することにより、よりきめ細かい課金、報酬支払等を行うことができる。
【０１４７】
<総括>
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【０１４８】
【図１】本発明の第１の実施形態にかかるペイパービジット広告システムの構成例を示す図である。
【図２】広告主ＤＢの例を示す図である。
【図３】ユーザＤＢの例を示す図である。
【図４】携帯端末の構成例を示す図である。
【図５】第１の実施形態におけるウイッシュ登録の処理例を示すフローチャートである。
【図６】携帯端末に表示される画面例を示す図（その１）である。
【図７】第１の実施形態における来店時の処理例を示すフローチャートである。
【図８】携帯端末に表示される画面例を示す図（その２）である。
【図９】携帯端末に表示される画面例を示す図（その３）である。
【図１０】本発明の第２の実施形態にかかるペイパービジット広告システムの構成例を示す図である。
【図１１】店舗アイテムの例を示す図である。
【図１２】第２の実施形態における来店時の処理例を示すフローチャートである。
【図１３】本発明の第３の実施形態にかかるペイパービジット広告システムの構成例を示す図である。
【図１４】広告主ＤＢの例を示す図である。
【図１５】携帯端末の構成例を示す図である。
【図１６】第３の実施形態における来店時の処理例を示すフローチャートである。
【図１７】本発明の第４の実施形態にかかるペイパービジット広告システムの構成例を示す図である。
【図１８】第４の実施形態における来店時の処理例を示すフローチャートである。
【図１９】本発明の第５の実施形態にかかるペイパービジット広告システムの構成例を示す図である。
【図２０】ユーザＤＢの例を示す図である。
【図２１】第５の実施形態における来店時の処理例を示すフローチャートである。
【符号の説明】
【０１４９】
１        広告管理サーバ
１１      来店管理部
１１０    ウイッシュ登録部
１１１    来店情報受信部
１１２    広告主情報参照部
１１３    位置比較部
１１４    来店数更新部
１１５    課金処理部
１１６    ポイント付与部
１１７    クーポン送信部
１１８    店舗アイテム認証部
１１９    識別子比較部
１２０    シスログ参照部
１２      広告主ＤＢ
１３      ユーザＤＢ
２        Ｗｅｂサーバ
３、４    ネットワーク
５        基地局
６        位置データ取得サーバ
７        ＧＰＳ衛星
８        携帯端末
８１      ＧＰＳ受信部
８２      セルラー送受信部
８３      データ処理部
８４      記憶部
８５      カメラ部
８６      時計部
８７      表示部
８８      操作部
８９      通話部
８０１    無線ＬＡＮ送受信部
９        店舗
９１      店舗アイテム
９２      アクセスポイント
１０      集計サーバ
Ｕ        ユーザ
【図１】
2008021303.tif 000003
【図２】
2008021303.tif 000004
【図３】
2008021303.tif 000005
【図４】
2008021303.tif 000006
【図５】
2008021303.tif 000007
【図６】
2008021303.tif 000008
【図７】
2008021303.tif 000009
【図８】
2008021303.tif 000010
【図９】
2008021303.tif 000011
【図１０】
2008021303.tif 000012
【図１１】
2008021303.tif 000013
【図１２】
2008021303.tif 000014
【図１３】
2008021303.tif 000015
【図１４】
2008021303.tif 000016
【図１５】
2008021303.tif 000017
【図１６】
2008021303.tif 000018
【図１７】
2008021303.tif 000019
【図１８】
2008021303.tif 000020
【図１９】
2008021303.tif 000021
【図２０】
2008021303.tif 000022
【図２１】
2008021303.tif 000023
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
Ｗｅｂページに付加されたバナー広告の閲覧を監視する機能と、当該バナー広告の広告対象である店舗への広告閲覧者の来店行動を監視する機能とを備えるコンピュータシステムであって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるＧＰＳ受信により取得された位置データとを含む来店情報を受信する来店情報受信手段と、
受信した上記来店情報の広告主ＩＤに対応する店舗位置情報を広告主ＤＢを参照して取得し、上記来店情報の位置データと比較することにより、上記ユーザが上記店舗に所在することを確認する確認手段と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えたことを特徴とするペイパービジット広告システム。
【請求項２】
Ｗｅｂページに付加されたバナー広告の閲覧を監視する機能と、当該バナー広告の広告対象である店舗への広告閲覧者の来店行動を監視する機能とを備えるコンピュータシステムであって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるカメラ機能により撮影された店舗アイテムの読取コードとを含む来店情報を受信する来店情報受信手段と、
受信した上記来店情報の読取コードが所定の真正なコードであるか否かを検証することにより、上記ユーザが上記店舗に所在することを確認する確認手段と、
上記ユーザが上記店舗に所在することが確認された場合に、広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えたことを特徴とするペイパービジット広告システム。
【請求項３】
Ｗｅｂページに付加されたバナー広告の閲覧を監視する機能と、当該バナー広告の広告対象である店舗への広告閲覧者の来店行動を監視する機能とを備えるコンピュータシステムであって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動される近隣アクセスポイント検索により取得された識別子データとを含む来店情報を受信する来店情報受信手段と、
受信した上記来店情報の広告主ＩＤに対応する店舗アクセスポイント識別子データを広告主ＤＢを参照して取得し、上記来店情報の識別子データと比較することにより、上記ユーザが上記店舗に所在することを確認する確認手段と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えたことを特徴とするペイパービジット広告システム。
【請求項４】
Ｗｅｂページに付加されたバナー広告の閲覧を監視する機能と、当該バナー広告の広告対象である店舗への広告閲覧者の来店行動を監視する機能とを備えるコンピュータシステムであって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記ユーザを識別するユーザＩＤとを含む来店情報を受信する来店情報受信手段と、
受信した上記来店情報のユーザＩＤに基づき、ユーザＤＢから対応するＭＡＣアドレスを取得し、当該ＭＡＣアドレスによりアクセスが行なわれたアクセスポイントのシスログを集計サーバから参照して該当するアクセスポイントの識別子データを取得する識別子取得手段と、
受信した上記来店情報の広告主ＩＤに対応する店舗アクセスポイント識別子データを広告主ＤＢを参照して取得し、上記集計サーバから取得した識別子データと比較することにより、上記ユーザが上記店舗に所在することを確認する確認手段と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えたことを特徴とするペイパービジット広告システム。
【請求項５】
請求項１乃至４のいずれか一項に記載のペイパービジット広告システムにおいて、
上記来店情報には、上記ユーザを識別するユーザＩＤが含まれており、
上記ユーザが上記店舗に所在することが確認された場合に、ユーザＤＢ上の該当するユーザ情報のポイントデータを所定数加算した値に更新するポイント付与手段を備えたことを特徴とするペイパービジット広告システム。
【請求項６】
請求項１乃至５のいずれか一項に記載のペイパービジット広告システムにおいて、
上記ユーザが上記店舗に所在することが確認された場合に、ユーザＤＢから上記ユーザのメールアドレスを取得し、当該メールアドレス宛に上記店舗において特典を受けることのできるクーポンデータを送信するクーポン送信手段を備えたことを特徴とするペイパービジット広告システム。
【請求項７】
請求項１乃至６のいずれか一項に記載のペイパービジット広告システムにおいて、
上記広告主ＤＢは、自己のＷｅｂページにバナー広告を掲載することで上記店舗への顧客の誘導に協力し、その誘導の成果に応じて報酬支払対象となるプロモーションオーナを識別するプロモーションＩＤを広告主ＩＤに対応付けて保持することを特徴とするペイパービジット広告システム。
【請求項８】
請求項７に記載のペイパービジット広告システムにおいて、
ユーザの操作する携帯端末から、上記バナー広告の選択により表示される広告主ページに埋め込まれた登録ボタンの選択により当該登録ボタンに埋め込まれた宛先に送信される、上記ユーザを識別するユーザＩＤと、上記登録ボタンに埋め込まれたプロモーションＩＤとを含む、広告対象の店舗へ出向く意思があることの登録要求を受け付け、上記広告主ＤＢから上記プロモーションＩＤを参照し、当該プロモーションＩＤに上記ユーザＩＤを対応付けて登録する登録手段を備えたことを特徴とするペイパービジット広告システム。
【請求項９】
Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるＧＰＳ受信により取得された位置データとを含む来店情報を受信する工程と、
受信した上記来店情報の広告主ＩＤに対応する店舗位置情報を広告主ＤＢを参照して取得し、上記来店情報の位置データと比較することにより、上記ユーザが上記店舗に所在することを確認する工程と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えたことを特徴とするペイパービジット広告管理方法。
【請求項１０】
Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるカメラ機能により撮影された店舗アイテムの読取コードとを含む来店情報を受信する工程と、
受信した上記来店情報の読取コードが所定の真正なコードであるか否かを検証することにより、上記ユーザが上記店舗に所在することを確認する工程と、
上記ユーザが上記店舗に所在することが確認された場合に、広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えたことを特徴とするペイパービジット広告管理方法。
【請求項１１】
Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動される近隣アクセスポイント検索により取得された識別子データとを含む来店情報を受信する工程と、
受信した上記来店情報の広告主ＩＤに対応する店舗アクセスポイント識別子データを広告主ＤＢを参照して取得し、上記来店情報の識別子データと比較することにより、上記ユーザが上記店舗に所在することを確認する工程と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えたことを特徴とするペイパービジット広告管理方法。
【請求項１２】
Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、
ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記ユーザを識別するユーザＩＤとを含む来店情報を受信する工程と、
受信した上記来店情報のユーザＩＤに基づき、ユーザＤＢから対応するＭＡＣアドレスを取得し、当該ＭＡＣアドレスによりアクセスが行なわれたアクセスポイントのシスログを集計サーバから参照して該当するアクセスポイントの識別子データを取得する工程と、
受信した上記来店情報の広告主ＩＤに対応する店舗アクセスポイント識別子データを広告主ＤＢを参照して取得し、上記集計サーバから取得した識別子データと比較することにより、上記ユーザが上記店舗に所在することを確認する工程と、
上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えたことを特徴とするペイパービジット広告管理方法。
【手続補正２】
【補正対象書類名】明細書
【補正対象項目名】００１０
【補正方法】変更
【補正の内容】
【００１０】
上記の課題を解決するため、本発明にあっては、請求項１に記載されるように、Ｗｅｂページに付加されたバナー広告の閲覧を監視する機能と、当該バナー広告の広告対象である店舗への広告閲覧者の来店行動を監視する機能とを備えるコンピュータシステムであって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるＧＰＳ受信により取得された位置データとを含む来店情報を受信する来店情報受信手段と、受信した上記来店情報の広告主ＩＤに対応する店舗位置情報を広告主ＤＢを参照して取得し、上記来店情報の位置データと比較することにより、上記ユーザが上記店舗に所在することを確認する確認手段と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えるペイパービジット広告システムを要旨としている。
【手続補正３】
【補正対象書類名】明細書
【補正対象項目名】００１１
【補正方法】変更
【補正の内容】
【００１１】
また、請求項２に記載されるように、Ｗｅｂページに付加されたバナー広告の閲覧を監視する機能と、当該バナー広告の広告対象である店舗への広告閲覧者の来店行動を監視する機能とを備えるコンピュータシステムであって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるカメラ機能により撮影された店舗アイテムの読取コードとを含む来店情報を受信する来店情報受信手段と、受信した上記来店情報の読取コードが所定の真正なコードであるか否かを検証することにより、上記ユーザが上記店舗に所在することを確認する確認手段と、上記ユーザが上記店舗に所在することが確認された場合に、広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えるようにすることができる。
【手続補正４】
【補正対象書類名】明細書
【補正対象項目名】００１２
【補正方法】変更
【補正の内容】
【００１２】
また、請求項３に記載されるように、Ｗｅｂページに付加されたバナー広告の閲覧を監視する機能と、当該バナー広告の広告対象である店舗への広告閲覧者の来店行動を監視する機能とを備えるコンピュータシステムであって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動される近隣アクセスポイント検索により取得された識別子データとを含む来店情報を受信する来店情報受信手段と、受信した上記来店情報の広告主ＩＤに対応する店舗アクセスポイント識別子データを広告主ＤＢを参照して取得し、上記来店情報の識別子データと比較することにより、上記ユーザが上記店舗に所在することを確認する確認手段と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えるようにすることができる。
【手続補正５】
【補正対象書類名】明細書
【補正対象項目名】００１３
【補正方法】変更
【補正の内容】
【００１３】
また、請求項４に記載されるように、Ｗｅｂページに付加されたバナー広告の閲覧を監視する機能と、当該バナー広告の広告対象である店舗への広告閲覧者の来店行動を監視する機能とを備えるコンピュータシステムであって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記ユーザを識別するユーザＩＤとを含む来店情報を受信する来店情報受信手段と、受信した上記来店情報のユーザＩＤに基づき、ユーザＤＢから対応するＭＡＣアドレスを取得し、当該ＭＡＣアドレスによりアクセスが行なわれたアクセスポイントのシスログを集計サーバから参照して該当するアクセスポイントの識別子データを取得する識別子取得手段と、受信した上記来店情報の広告主ＩＤに対応する店舗アクセスポイント識別子データを広告主ＤＢを参照して取得し、上記集計サーバから取得した識別子データと比較することにより、上記ユーザが上記店舗に所在することを確認する確認手段と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する更新手段とを備えるようにすることができる。
【手続補正６】
【補正対象書類名】明細書
【補正対象項目名】００１４
【補正方法】変更
【補正の内容】
【００１４】
また、請求項５に記載されるように、請求項１乃至４のいずれか一項に記載のペイパービジット広告システムにおいて、上記来店情報には、上記ユーザを識別するユーザＩＤが含まれており、上記ユーザが上記店舗に所在することが確認された場合に、ユーザＤＢ上の該当するユーザ情報のポイントデータを所定数加算した値に更新するポイント付与手段を備えるようにすることができる。
【手続補正７】
【補正対象書類名】明細書
【補正対象項目名】００１５
【補正方法】変更
【補正の内容】
【００１５】
また、請求項６に記載されるように、請求項１乃至５のいずれか一項に記載のペイパービジット広告システムにおいて、上記ユーザが上記店舗に所在することが確認された場合に、ユーザＤＢから上記ユーザのメールアドレスを取得し、当該メールアドレス宛に上記店舗において特典を受けることのできるクーポンデータを送信するクーポン送信手段を備えるようにすることができる。
【手続補正８】
【補正対象書類名】明細書
【補正対象項目名】００１６
【補正方法】変更
【補正の内容】
【００１６】
また、請求項７に記載されるように、請求項１乃至６のいずれか一項に記載のペイパービジット広告システムにおいて、上記広告主ＤＢは、自己のＷｅｂページにバナー広告を掲載することで上記店舗への顧客の誘導に協力し、その誘導の成果に応じて報酬支払対象となるプロモーションオーナを識別するプロモーションＩＤを広告主ＩＤに対応付けて保持するようにすることができる。
【手続補正９】
【補正対象書類名】明細書
【補正対象項目名】００１７
【補正方法】変更
【補正の内容】
【００１７】
また、請求項８に記載されるように、請求項７に記載のペイパービジット広告システムにおいて、ユーザの操作する携帯端末から、上記バナー広告の選択により表示される広告主ページに埋め込まれた登録ボタンの選択により当該登録ボタンに埋め込まれた宛先に送信される、上記ユーザを識別するユーザＩＤと、上記登録ボタンに埋め込まれたプロモーションＩＤとを含む、広告対象の店舗へ出向く意思があることの登録要求を受け付け、上記広告主ＤＢから上記プロモーションＩＤを参照し、当該プロモーションＩＤに上記ユーザＩＤを対応付けて登録する登録手段を備えるようにすることができる。
【手続補正１０】
【補正対象書類名】明細書
【補正対象項目名】００１８
【補正方法】変更
【補正の内容】
【００１８】
また、請求項９に記載されるように、Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるＧＰＳ受信により取得された位置データとを含む来店情報を受信する工程と、受信した上記来店情報の広告主ＩＤに対応する店舗位置情報を広告主ＤＢを参照して取得し、上記来店情報の位置データと比較することにより、上記ユーザが上記店舗に所在することを確認する工程と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えるペイパービジット広告管理方法として構成することができる。
【手続補正１１】
【補正対象書類名】明細書
【補正対象項目名】００１９
【補正方法】変更
【補正の内容】
【００１９】
また、請求項１０に記載されるように、Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動されるカメラ機能により撮影された店舗アイテムの読取コードとを含む来店情報を受信する工程と、受信した上記来店情報の読取コードが所定の真正なコードであるか否かを検証することにより、上記ユーザが上記店舗に所在することを確認する工程と、上記ユーザが上記店舗に所在することが確認された場合に、広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えるようにすることができる。
【手続補正１２】
【補正対象書類名】明細書
【補正対象項目名】００２０
【補正方法】変更
【補正の内容】
【００２０】
また、請求項１１に記載されるように、Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記来店ボタンの操作により起動される近隣アクセスポイント検索により取得された識別子データとを含む来店情報を受信する工程と、受信した上記来店情報の広告主ＩＤに対応する店舗アクセスポイント識別子データを広告主ＤＢを参照して取得し、上記来店情報の識別子データと比較することにより、上記ユーザが上記店舗に所在することを確認する工程と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えるようにすることができる。
【手続補正１３】
【補正対象書類名】明細書
【補正対象項目名】００２１
【補正方法】変更
【補正の内容】
【００２１】
また、請求項１２に記載されるように、Ｗｅｂページに付加されたバナー広告の閲覧を監視する機能と、当該バナー広告の広告対象である店舗への広告閲覧者の来店行動を監視する機能とを備えるコンピュータシステムのコンピュータプログラムによる自動的な管理方法であって、ユーザの操作する携帯端末から、上記バナー広告の選択により表示される広告主ページに埋め込まれた来店ボタンの選択により当該来店ボタンに埋め込まれた宛先に送信される、上記来店ボタンに埋め込まれた広告主ＩＤと、上記ユーザを識別するユーザＩＤとを含む来店情報を受信する工程と、受信した上記来店情報のユーザＩＤに基づき、ユーザＤＢから対応するＭＡＣアドレスを取得し、当該ＭＡＣアドレスによりアクセスが行なわれたアクセスポイントのシスログを集計サーバから参照して該当するアクセスポイントの識別子データを取得する工程と、受信した上記来店情報の広告主ＩＤに対応する店舗アクセスポイント識別子データを広告主ＤＢを参照して取得し、上記集計サーバから取得した識別子データと比較することにより、上記ユーザが上記店舗に所在することを確認する工程と、上記ユーザが上記店舗に所在することが確認された場合に、上記広告主ＤＢ上の上記広告主ＩＤに対応する来店数データを１を加算した値に更新するとともに、上記広告主ＤＢの上記広告主ＩＤに対応する広告主課金額データを現来店数に対応する値に更新する工程とを備えるようにすることができる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】